(57)【要約】【課題】表示装置の色域及び色再現性を向上させる技術を提供する。【解決手段】表示制御装置の一例であるＴＤＤＩ２０は、応答速度の異なる複数の色の蛍光体を備えるバックライト１１と、複数の表示素子１２と、複数のセンサ素子１３とを備えるタッチパネル１０の複数の表示素子１２に駆動電圧を印加する表示駆動制御部２１と、複数のセンサ素子１３から検知信号を入力する入力部の一例であるタッチ駆動制御部２２と、タッチ駆動制御部２２により入力された検知信号からノイズの周波数及び強度を検出するＰＷＭノイズ検出部２４と、ＰＷＭノイズ検出部２４により検出されたノイズの周波数及び強度に基づいて、表示駆動制御部２１が複数の表示素子に印加する駆動電圧を調整するホワイトバランス調整部２５とを備える。【選択図】図１
2019174707.tif 000002
【特許請求の範囲】
【請求項１】
応答速度の異なる複数の色の蛍光体を備えるバックライトと、複数の表示素子と、複数のセンサ素子とを備えるタッチパネルの前記複数の表示素子に駆動電圧を印加する表示駆動制御部と、
前記複数のセンサ素子から検知信号を入力する入力部と、
前記入力部により入力された検知信号からノイズの周波数及び強度を検出する検出部と、
前記検出部により検出されたノイズの周波数及び強度に基づいて、前記表示駆動制御部が前記複数の表示素子に印加する駆動電圧を調整する調整部と、
を備える、
表示制御装置。
【請求項２】
請求項１に記載の表示制御装置であって、
前記調整部は、前記検出部により検出された、前記バックライトの輝度を調整するためのパルス幅変調（ＰＷＭ）の周波数を含む所定の範囲の周波数のノイズの強度が所定の閾値以上である場合に、前記駆動電圧を調整する、
表示制御装置。
【請求項３】
請求項１又は請求項２に記載の表示制御装置であって、
前記調整部は、応答速度がより遅い蛍光体の色の表示素子に印加する電圧を低く調整する、
表示制御装置。
【請求項４】
応答速度の異なる複数の色の蛍光体を備えるバックライトと、複数の表示素子と、複数のセンサ素子とを備えるタッチパネルの前記バックライトの輝度を調整するために、前記バックライトの点灯期間が前記バックライトの輝度に応じた長さとなるように、前記バックライトの点灯期間をＰＷＭ方式により制御するＰＷＭ制御部と、
前記ＰＷＭ制御部により制御される点灯期間にしたがって前記バックライトのオンオフを制御するバックライト制御部と、
前記複数の表示素子に駆動電圧を印加する表示駆動制御部と、
前記複数のセンサ素子から検知信号を入力する入力部と、
前記入力部により入力された検知信号からノイズの周波数及び強度を検出する検出部と、
前記検出部により検出されたノイズの周波数及び強度に基づいて、前記表示駆動制御部が前記複数の表示素子に印加する駆動電圧を調整する調整部と、
を備える、
表示制御装置。
【請求項５】
請求項４に記載の表示制御装置であって、
前記調整部は、前記検出部により検出された、前記ＰＷＭ制御部により制御されるＰＷＭの周波数を含む所定の範囲の周波数のノイズの強度が所定の閾値以上である場合に、前記駆動電圧を調整する、
表示制御装置。
【請求項６】
請求項４又は請求項５に記載の表示制御装置であって、
前記調整部は、応答速度がより遅い蛍光体の色の表示素子に印加する電圧を低く調整する、
表示制御装置。
【請求項７】
請求項４から請求項６のいずれかに記載の表示制御装置であって、
前記ＰＷＭ制御部及び前記バックライト制御部と、前記表示駆動制御部、前記入力部、前記検出部及び前記調整部とは、異なる回路に実装される、
表示制御装置。
【請求項８】
応答速度の異なる複数の色の蛍光体を備えるバックライトと、複数の表示素子と、複数のセンサ素子とを備えるタッチパネルの前記複数の表示素子に駆動電圧を印加するステップと、
前記複数のセンサ素子から検知信号を入力するステップと、
入力された検知信号からノイズの周波数及び強度を検出するステップと、
検出されたノイズの周波数及び強度に基づいて、前記複数の表示素子に印加する駆動電圧を調整するステップと、
を備える、
表示制御方法。
【請求項９】
請求項８に記載の表示制御方法であって、
前記調整するステップは、前記検出するステップにより検出された、前記バックライトの輝度を調整するためのＰＷＭの周波数を含む所定の範囲の周波数のノイズの強度が所定の閾値以上である場合に、前記駆動電圧を調整する、
表示制御方法。
【請求項１０】
請求項８又は請求項９に記載の表示制御方法であって、
前記調整するステップは、応答速度がより遅い蛍光体の色の表示素子に印加する電圧を低く調整する、
表示制御方法。
【発明の詳細な説明】
【技術分野】
【０００１】
本開示は、表示制御技術に関し、特に表示装置への表示を制御する表示制御装置及び表示制御方法に関する。
【背景技術】
【０００２】
近年、携帯端末、スマートフォン、車載機、テレビジョン受像機、パーソナルコンピュータのモニタなど、広範な分野において液晶表示装置が利用されている。より少ない消費電力でより美しい表示を実現するための技術が多数提案されている。
【０００３】
例えば、特許文献１には、温度変化による輝度および色度が安定するまでの時間を短縮する技術が開示されている。
【０００４】
また、特許文献２には、ＬＥＤのバックライト光源を備えた液晶表示装置において、ＰＷＭ方式と電流値制御方式とを組み合わせて画質に応じた起動に制御するに際し、ＬＥＤの点灯にかかる消費電力を低減する技術が開示されている。
【０００５】
また、特許文献３には、ＬＥＤのバックライトの駆動電流を変化させたときに液晶パネル画面の色変化を抑え、映像品位を向上させる技術が開示されている。
【先行技術文献】
【特許文献】
【０００６】
【特許文献１】特開２００６−２７６７２５号公報
【特許文献２】特開２０１１−０３４０７１号公報
【特許文献３】特開２０１１−０８５６９３号公報
【発明の概要】
【発明が解決しようとする課題】
【０００７】
本発明者は、より美しい表示を実現するために、液晶表示装置の色域及び色再現性を向上させる技術が必要であることを課題として認識し、本開示の技術に想到した。
【０００８】
本開示は、表示装置の色域及び色再現性を向上させる技術を提供する。
【課題を解決するための手段】
【０００９】
上記課題を解決するために、本開示のある態様の表示制御装置は、応答速度の異なる複数の色の蛍光体を備えるバックライトと、複数の表示素子と、複数のセンサ素子とを備えるタッチパネルの複数の表示素子に駆動電圧を印加する表示駆動制御部と、複数のセンサ素子から検知信号を入力する入力部と、入力部により入力された検知信号からノイズの周波数及び強度を検出する検出部と、検出部により検出されたノイズの周波数及び強度に基づいて、表示駆動制御部が複数の表示素子に印加する駆動電圧を調整する調整部と、を備える。
【００１０】
本開示の別の態様もまた、表示制御装置である。この表示制御装置は、応答速度の異なる複数の色の蛍光体を備えるバックライトと、複数の表示素子と、複数のセンサ素子とを備えるタッチパネルのバックライトの輝度を調整するために、バックライトの点灯期間がバックライトの輝度に応じた長さとなるように、バックライトの点灯期間をＰＷＭ方式により制御するＰＷＭ制御部と、ＰＷＭ制御部により制御される点灯期間にしたがってバックライトのオンオフを制御するバックライト制御部と、複数の表示素子に駆動電圧を印加する表示駆動制御部と、複数のセンサ素子から検知信号を入力する入力部と、入力部により入力された検知信号からノイズの周波数及び強度を検出する検出部と、検出部により検出されたノイズの周波数及び強度に基づいて、表示駆動制御部が複数の表示素子に印加する駆動電圧を調整する調整部と、を備える。
【００１１】
本開示のさらに別の態様は、表示制御方法である。この表示制御方法は、応答速度の異なる複数の色の蛍光体を備えるバックライトと、複数の表示素子と、複数のセンサ素子とを備えるタッチパネルの複数の表示素子に駆動電圧を印加するステップと、複数のセンサ素子から検知信号を入力するステップと、入力された検知信号からノイズの周波数及び強度を検出するステップと、検出されたノイズの周波数及び強度に基づいて、複数の表示素子に印加する駆動電圧を調整するステップと、を備える。
【００１２】
なお、以上の構成要素の任意の組合せ、本開示の表現を方法、装置、システム、記録媒体、コンピュータプログラムなどの間で変換したものもまた、本開示の態様として有効である。
【発明の効果】
【００１３】
本開示によれば、表示装置の色域及び色再現性を向上させることができる。
【図面の簡単な説明】
【００１４】
【図１】実施の形態に係る表示制御装置の構成を示す図である。
【図２】Ｒ蛍光体とＧ蛍光体の応答速度の例を示す図である。
【図３】ＰＷＭ方式によりバックライトを調光した場合の表示色の例を示す二色図である。
【図４】実施の形態に係る表示制御方法の手順を示すフローチャートである。
【発明を実施するための形態】
【００１５】
図１は、実施の形態に係る表示制御装置の構成を示す。本実施の形態の表示制御装置は、タッチパネル１０に対するタッチ情報を入力し、タッチパネル１０に表示する表示画像を生成するホスト装置３０と、タッチパネル１０の駆動を制御するＴＤＤＩ（Touch and Display Driver Integration）２０を備える。ＴＤＤＩ２０は、従来別々に実装されていたタッチコントローラＩＣとディスプレードライバＩＣを１チップ化したものであり、タッチパネル１０の液晶表示装置の表示素子１２を駆動するための表示制御装置として機能するとともに、タッチパネル１０のセンサ素子１３により検知された信号からユーザの指などによる接触を検出するための入力制御装置としても機能する。
【００１６】
本実施の形態のタッチパネル１０は、ＲＧ蛍光体を用いたＬＥＤを液晶表示装置のバックライト１１として用いる。これにより、タッチパネル１０の液晶表示装置の色域を拡大し、良好な色再現性を実現することができる。Ｒ（赤）蛍光体は、例えば、ＫＳＦ、ＣＡＳＮ、ＳＣＡＳＮなどであってもよく、Ｇ（緑）蛍光体は、例えば、ＣＳＯ、ＧＹＡＧ、β−ＳｉＡｌＯＮなどであってもよい。
【００１７】
図２は、Ｒ蛍光体とＧ蛍光体の応答速度の例を示す。本実施の形態のように、異なる複数の蛍光体を用いたＬＥＤをバックライト１１として用いる場合、蛍光体ごとに応答速度が異なることが問題となりうる。例えば、図２に示すように、Ｒ蛍光体の応答速度がＧ蛍光体の応答速度よりも遅い場合、バックライト１１を消灯した直後に、Ｒ蛍光体の蛍光が残って液晶表示装置の表示画面全体が一瞬赤色化する。とくに、タッチパネル１０のバックライト１１の輝度をパルス幅変調（ＰＷＭ）方式により調整する場合、バックライト１１のオンオフが高速に繰り返されるため、Ｒ蛍光体の残光の影響により色度が赤色方向にシフトしてしまう。
【００１８】
図３は、ＰＷＭ方式によりバックライト１１を調光した場合の表示色の例を示す二色図である。ＰＷＭのデューティー比が１００％、すなわち、全期間オンのままである場合の表示色は白色であるが、デューティー比を小さくするにつれて、赤色の残光の影響が大きくなり、表示色が赤色にシフトしているのが分かる。
【００１９】
このように、ＲＧ蛍光体を用いることにより色域を拡大させることができるが、他方で、ＲＧ蛍光体の特性により、タッチパネル１０に表示される表示色がホスト装置３０により生成された表示画像の表示色よりも赤色方向にずれるという新たな課題が生じる。したがって、液晶表示装置の色再現性を向上させるためには、色度のずれを補正する必要がある。
【００２０】
このような課題を解決するために、本実施の形態では、ＰＷＭ駆動中であるか否かを検出し、ＰＷＭ駆動中には、応答速度のより遅い蛍光体の色の表示素子１２の輝度を低く調整することにより、色度のずれを補正する。これにより、色再現性を良好に保ちつつ、色域を拡大することができる。
【００２１】
図１に戻り、各構成について説明する。ホスト装置３０は、入力インタフェース３１、アプリケーション３２、表示信号生成部３３、表示信号出力部３４、輝度設定部３５、ＰＷＭ制御部３６、及びＬＥＤドライバ３７を備える。
【００２２】
入力インタフェース３１は、タッチパネル１０、ボタン、マウスなどの入力装置からの入力信号を受信する。アプリケーション３２は、入力インタフェース３１により入力されたユーザからの指示などに応じて所定の機能を実行し、タッチパネル１０の液晶表示装置に表示する表示画像を生成する。表示信号生成部３３は、アプリケーション３２により生成された表示画像をタッチパネル１０の液晶表示装置に表示するための表示信号を生成する。表示信号は、例えば、ＲＧＢごとの階調を示す信号であってもよい。表示信号出力部３４は、表示信号生成部３３により生成された表示信号をＴＤＤＩ２０に出力する。
【００２３】
輝度設定部３５は、入力インタフェース３１により入力されたユーザからの指示などに応じてタッチパネル１０の輝度（明るさ）を設定する。ＰＷＭ制御部３６は、輝度設定部３５により設定された輝度に応じて、バックライト１１の輝度を調整するためのＰＷＭのデューティー比を設定し、設定したデューティー比に応じてＯＮデューティーのＰＷＭ信号を生成する。ＬＥＤドライバ３７は、ＰＷＭ制御部３６により生成されたＰＷＭ信号にしたがって、バックライト１１を構成するＬＥＤを駆動するための電圧を生成し、バックライト１１に出力する。
【００２４】
ＴＤＤＩ２０は、表示駆動制御部２１、タッチ駆動制御部２２、タッチ検出部２３、ＰＷＭノイズ検出部２４、及びホワイトバランス調整部２５を備える。
【００２５】
表示駆動制御部２１は、ホスト装置３０から入力される表示信号にしたがって、タッチパネル１０の複数の表示素子１２のそれぞれに、階調に応じた駆動電圧を印加する。タッチ駆動制御部２２は、タッチパネル１０の複数のセンサ素子１３のそれぞれから、所定の駆動周波数で検知信号を入力する入力部として機能する。例えば、静電容量方式のタッチパネル１０の場合、タッチ駆動制御部２２は、電極間の容量を示す検知信号を入力する。
【００２６】
タッチパネル１０のバックライト１１の輝度を調整するためのＰＷＭ制御をＴＤＤＩ２０が実行する場合には、ＰＷＭ駆動中であるか否かをＴＤＤＩ２０自身が把握することができるが、本実施の形態のように、ＴＤＤＩ２０とは別の回路として実装されるホスト装置３０がＰＷＭ制御を実行する場合には、ＴＤＤＩ２０は、ＰＷＭ駆動中であるか否かを直接把握することはできない。この場合であっても、ホスト装置３０からＴＤＤＩ２０にＰＷＭ駆動中であるか否かを通知するように構成すれば、ＴＤＤＩ２０はＰＷＭ駆動中であるか否かを把握することができるが、本実施の形態では、センサ素子１３により検知されるノイズ信号から、ＰＷＭ駆動中であるか否かを判定する技術を提案する。これにより、ＰＷＭ駆動中であるか否かをＴＤＤＩ２０に通知する機能を有しないホスト装置３０に、ＲＧ蛍光体を用いたバックライト１１を備えるタッチパネル１０を接続する場合であっても、適切に色度のずれを補正することができる。また、色度の補正のために特別な外部素子を設ける必要がないので、表示制御装置の製造コストやサイズなどを抑えることができる。
【００２７】
タッチ駆動制御部２２は、いずれかのセンサ素子１３において接触を検出してからしばらくの間は、接触位置を精確に検出するために、例えば１００ｋＨｚ程度の駆動周波数でセンサ素子１３を走査して検知信号を入力するが、所定期間以上接触を検出しない場合は、接触の有無を確認するために、所定の間隔で間欠的にセンサ素子１３から信号を入力する。前者を「駆動期間」と呼び、後者を「アイドル期間」と呼ぶ。タッチ駆動制御部２２は、アイドル期間において、接触を検出するための検知信号の入力が実行されていない所定のタイミングでセンサ素子１３から検知信号を入力する。
【００２８】
ＰＷＭノイズ検出部２４は、センサ素子１３から入力された検知信号から、ＰＷＭ駆動に起因するノイズを検出する。ＰＷＭノイズ検出部２４は、入力された検知信号をフーリエ変換により周波数領域に変換して、検知信号の周波数及び強度を算出し、ＰＷＭ駆動周波数の範囲のノイズの強度が所定の閾値以上である場合に、ＰＷＭ駆動中であると判定する。ＰＷＭノイズ検出部２４には、一般的な液晶表示装置のバックライトの輝度調整において実行されているＰＷＭの駆動周波数の範囲が予め設定される。
【００２９】
別の例では、タッチ駆動制御部２２が、ＰＷＭの駆動周波数と同じ周波数でセンサ素子１３から検知信号を入力し、ＰＷＭ駆動周波数のノイズの強度を測定し、ＰＷＭノイズ検出部２４は、ＰＷＭ駆動周波数のノイズの強度が所定の閾値以上である場合に、ＰＷＭ駆動中であると判定する。この場合、タッチ駆動制御部２２には、一般的な液晶表示装置のバックライトの輝度調整において実行されているＰＷＭの駆動周波数の範囲が予め設定され、アイドル期間における所定の期間に、設定された範囲の周波数でセンサ素子１３から検知信号を入力する。ＰＷＭノイズ検出部２４は、上記以外の任意の方法でＰＷＭ駆動周波数のノイズの強度を検出してもよい。
【００３０】
ホワイトバランス調整部２５は、ＰＷＭノイズ検出部２４によりＰＷＭ駆動に起因するノイズが検出された場合、色度の赤色方向へのずれを低減させるために、表示駆動制御部２１が表示素子１２に印加する電圧を調整する。具体的には、ホワイトバランス調整部２５は、赤色の表示素子１２に印加する電圧の最大値を、青色及び緑色の表示素子１２に印加する電圧の最大値よりも低く設定する。例えば、ホワイトバランス調整部２５は、ＰＷＭ駆動中でない場合には、赤色、青色、及び緑色の表示素子１２に印加する電圧の最大値を全て５．５Ｖとする一方、ＰＷＭ駆動中である場合には、赤色の表示素子１２に印加する電圧の最大値を５．０Ｖに変更し、青色及び緑色の表示素子１２に印加する電圧の最大値５．５Ｖよりも低くする。
【００３１】
表示駆動制御部２１は、ホワイトバランス調整部２５により設定された電圧の最大値を最大階調の電圧値とし、ホスト装置３０により入力された表示信号の階調に応じて、最大階調の電圧値と０の間で分割された電圧値を表示素子１２に印加する。これにより、赤色の表示素子１２の輝度を、Ｒ蛍光体の残光の分だけ低く補正することができるので、ＰＷＭ駆動に起因する色度の赤色方向へのずれを低減し、色再現性を向上させることができる。なお、より応答速度の遅い蛍光体の色（本実施の形態では赤）の表示素子１２に印加する電圧の最大値が、他の色（本実施の形態では青及び緑）の表示素子１２に印加する電圧の最大値よりも低くなっていればよいので、ＰＷＭ駆動中には、より応答速度の速い蛍光体の色（本実施の形態では青及び緑）の表示素子１２に印加する電圧の最大値を、ＰＷＭ駆動中でない場合よりも高く設定してもよい。
【００３２】
図４は、実施の形態に係る表示制御方法の手順を示すフローチャートである。ステップＳ１０において、タッチ駆動期間である場合（ステップＳ１０、ＹＥＳ）、タッチ駆動制御部２２は、駆動周波数でセンサ素子１３から検知信号を入力し、タッチ検出部２３は、入力された検知信号に基づいて接触を検出するが、ＰＷＭノイズ検出部２４は、ノイズの検出を行わない。タッチ駆動期間ではなくアイドル期間である場合（ステップＳ１０、ＮＯ）、ステップＳ１２において、タッチ駆動制御部２２は、所定のタイミングでセンサ素子１３から検知信号を入力し、ＰＷＭノイズ検出部２４は、入力された検知信号をフーリエ変換してノイズの周波数及び強度を算出する。ＰＷＭ駆動周波数の範囲のノイズの強度が所定の閾値以上である場合（ステップＳ１２、ＹＥＳ）、ステップＳ１４において、ホワイトバランス調整部２５は、蛍光体の応答速度がより遅い赤色の表示素子１２に印加する電圧の最大値を低くするよう表示駆動制御部２１に指示する。ステップＳ１２において、ＰＷＭ駆動周波数の範囲のノイズの強度が所定の閾値未満である場合（ステップＳ１２、ＮＯ）、ホワイトバランス調整部２５は、電圧の最大値を調整せずに、ステップＳ１０に戻る。
【００３３】
図４に示した例では、駆動期間にはＰＷＭノイズの検出を行わないが、別の例では、駆動期間にもＰＷＭノイズの検出を行ってもよい。この場合、ＰＷＭノイズ検出部２４は、タッチ駆動制御部２２により入力されたセンサ素子１３の検知信号のうち、接触が検出されなかった領域の検知信号を所定のタイミングでフーリエ変換してノイズの周波数及び強度を算出してもよい。これにより、タッチパネル１０が操作されている間も、色度のずれを適切に補正し、色再現性を向上させることができる。
【００３４】
ＰＷＭノイズ検出部２４は、フーリエ変換により算出したノイズの周波数及び強度から、ＰＷＭのデューティー比を推定し、ホワイトバランス調整部２５は、ＰＷＭノイズ検出部２４により推定されたＰＷＭのデューティー比に応じて、表示素子１２に印加する電圧の最大値を調整してもよい。図３に示したように、デューティー比が小さくなるほど、赤色へのシフトが大きくなるので、赤色の表示素子１２に印加する電圧の最大値をより小さくしてもよい。これにより、より適切に色度を補正し、色再現性を向上させることができる。
【００３５】
本開示の一態様の概要は、次の通りである。本発明の一態様の表示制御装置は、応答速度の異なる複数の色の蛍光体を備えるバックライトと、複数の表示素子と、複数のセンサ素子とを備えるタッチパネルの複数の表示素子に駆動電圧を印加する表示駆動制御部と、複数のセンサ素子から検知信号を入力する入力部と、入力部により入力された検知信号からノイズの周波数及び強度を検出する検出部と、検出部により検出されたノイズの周波数及び強度に基づいて、表示駆動制御部が複数の表示素子に印加する駆動電圧を調整する調整部と、を備える。
【００３６】
この態様によると、表示装置の色再現性を高く保ちつつ、色域を向上させることができる。
【００３７】
調整部は、検出部により検出された、バックライトの輝度を調整するためのパルス幅変調（ＰＷＭ）の周波数を含む所定の範囲の周波数のノイズの強度が所定の閾値以上である場合に、駆動電圧を調整してもよい。この態様によると、ＰＷＭ駆動中であることを適切に検出して、ＰＷＭ駆動に起因する色度のずれを適切に補正することができるので、色再現性を向上させることができる。
【００３８】
調整部は、応答速度がより遅い蛍光体の色の表示素子に印加する電圧を低く調整してもよい。この態様によると、ＰＷＭ駆動に起因する蛍光体の残光の影響を低減させることができるので、色再現性を向上させることができる。
【００３９】
本発明の別の態様もまた、表示制御装置である。この表示制御装置は、応答速度の異なる複数の色の蛍光体を備えるバックライトと、複数の表示素子と、複数のセンサ素子とを備えるタッチパネルのバックライトの輝度を調整するために、バックライトの点灯期間がバックライトの輝度に応じた長さとなるように、バックライトの点灯期間をＰＷＭ方式により制御するＰＷＭ制御部と、ＰＷＭ制御部により制御される点灯期間にしたがってバックライトのオンオフを制御するバックライト制御部と、複数の表示素子に駆動電圧を印加する表示駆動制御部と、複数のセンサ素子から検知信号を入力する入力部と、入力部により入力された検知信号からノイズの周波数及び強度を検出する検出部と、検出部により検出されたノイズの周波数及び強度に基づいて、表示駆動制御部が複数の表示素子に印加する駆動電圧を調整する調整部と、を備える。
【００４０】
この態様によると、表示装置の色再現性を高く保ちつつ、色域を向上させることができる。
【００４１】
調整部は、検出部により検出された、ＰＷＭ制御部により制御されるＰＷＭの周波数を含む所定の範囲の周波数のノイズの強度が所定の閾値以上である場合に、駆動電圧を調整してもよい。この態様によると、ＰＷＭ駆動中であることを適切に検出して、ＰＷＭ駆動に起因する色度のずれを適切に補正することができるので、色再現性を向上させることができる。
【００４２】
調整部は、応答速度がより遅い蛍光体の色の表示素子に印加する電圧を低く調整してもよい。この態様によると、ＰＷＭ駆動に起因する蛍光体の残光の影響を低減させることができるので、色再現性を向上させることができる。
【００４３】
ＰＷＭ制御部及びバックライト制御部と、表示駆動制御部、入力部、検出部及び調整部とは、異なる回路に実装されてもよい。ＰＷＭ制御部がＰＷＭ駆動中であるか否かを調整部が直接知ることができない場合であっても、検出部によりＰＷＭ駆動中であるか否かを的確に検出することができるので、ＰＷＭ駆動に起因する蛍光体の残光の影響を低減させることができるので、色再現性を向上させることができる。
【００４４】
本発明のさらに別の態様は、表示制御方法である。この方法は、応答速度の異なる複数の色の蛍光体を備えるバックライトと、複数の表示素子と、複数のセンサ素子とを備えるタッチパネルの複数の表示素子に駆動電圧を印加するステップと、複数のセンサ素子から検知信号を入力するステップと、入力された検知信号からノイズの周波数及び強度を検出するステップと、検出されたノイズの周波数及び強度に基づいて、複数の表示素子に印加する駆動電圧を調整するステップと、を備える。
【００４５】
この態様によると、表示装置の色再現性を高く保ちつつ、色域を向上させることができる。
【００４６】
調整するステップは、検出するステップにより検出された、バックライトの輝度を調整するためのＰＷＭの周波数を含む所定の範囲の周波数のノイズの強度が所定の閾値以上である場合に、駆動電圧を調整してもよい。この態様によると、ＰＷＭ駆動中であることを適切に検出して、ＰＷＭ駆動に起因する色度のずれを適切に補正することができるので、色再現性を向上させることができる。
【００４７】
表示制御方法であって、調整するステップは、応答速度がより遅い蛍光体の色の表示素子に印加する電圧を低く調整してもよい。この態様によると、ＰＷＭ駆動に起因する蛍光体の残光の影響を低減させることができるので、色再現性を向上させることができる。
【００４８】
以上、本開示を実施の形態をもとに説明した。実施の形態は例示であり、それらの各構成要素あるいは各処理プロセスの組合せにいろいろな変形例が可能なこと、またそうした変形例も本開示の範囲にあることは当業者に理解されるところである。
【符号の説明】
【００４９】
１０  タッチパネル、
１１  バックライト、
１２  表示素子、
１３  センサ素子、
２０  ＴＤＤＩ、
２１  表示駆動制御部、
２２  タッチ駆動制御部、
２３  タッチ検出部、
２４  ＰＷＭノイズ検出部、
２５  ホワイトバランス調整部、
３０  ホスト装置、
３１  入力インタフェース、
３２  アプリケーション、
３３  表示信号生成部、
３４  表示信号出力部、
３５  輝度設定部、
３６  ＰＷＭ制御部、
３７  ＬＥＤドライバ。
【図１】
2019174707.tif 000003
【図２】
2019174707.tif 000004
【図３】
2019174707.tif 000005
【図４】
2019174707.tif 000006